(57)【要約】【課題】カセットコンロの操作軸による操作状況を目視以外の方法でも認識・確認させる告知手段を備えたカセットコンロの提供。【解決手段】ガバナの供給弁から突出する操作軸に挿通配設された操作部品を支持する押さえ板と当接する回動板を操作軸に一体回動するよう挿通配置し、該回動板の当接面に金属ボールを収容した凹溝または突起を設けると共に押さえ板の当接面に穴もしくは凹溝を設け、或いは、回動板の外周部に凸片を設けると共に押さえ板の当接面に凸片の端部と当接して係止する突起を設ける。【選択図】図２
2008145050.tif 000002
【特許請求の範囲】
【請求項１】
ガバナの供給弁からガバナ正面外方に突出位置する操作軸に操作部品を挿通配設すると共に押さえ板で操作部品の配設を支持してなるカセットコンロにおいて、前記押さえ板と当接する位置に前記操作軸と一体回動する回動板を挿通配置し、前記回動板が前記押さえ板と当接する面に金属ボールを収容した凹溝または突起を設けると共に、前記押さえ板が前記回動板と当接する面にあって前記操作軸の回動によって前記金属ボールまたは前記突起の描く軌跡と対向する位置に前記金属ボールまたは前記突起が嵌合する穴もしくは凹溝を設けてなることを特徴とする、カセットコンロ。
【請求項２】
ガバナの供給弁からガバナ正面外方に突出位置する操作軸に操作部品を挿通配設すると共に押さえ板で操作部品の配設を支持してなるカセットコンロにおいて、前記押さえ板と当接する位置に前記操作軸と一体回動する回動板を挿通配置し、当該回動板の外周部に凸片を設けると共に、前記押さえ板が前記回動板と当接する面にあって前記操作軸の回動によって前記凸片の描く軌跡と対向する位置に前記凸片の端部と当接して係止する突起を設けてなることを特徴とする、カセットコンロ。
【請求項３】
前記操作軸に、前記回動板を前記押さえ板の方向へ付勢するバネを挿通配置したこと、を特徴とする、請求項１または２に記載のカセットコンロ。
【請求項４】
前記押さえ板の前記突起が当接して係止する前記回動板の前記凸片の端部に、前記押さえ板と当接する面から裏面側へ傾斜する傾斜面が形成されていることを特徴とする、請求項２または３に記載のカセットコンロ。
【発明の詳細な説明】
【技術分野】
【０００１】
本発明は、カセットコンロ、さらに詳しくは、ガバナの供給弁から突出位置し開放端にツマミを設けた操作軸の回動によって各種操作を行うカセットコンロにおいて、操作軸の回動による操作の状況を、ツマミに対する目視以外の方法で操作者に体感認識させる告知手段を備えたカセットコンロに関する。
【背景技術】
【０００２】
カセットコンロは、小容量で着脱式のガスボンベを燃料源とする加熱調理器具であり、一般に、ガスボンベから供給された燃料ガスを、調圧装置であるガバナによって一定圧力に調整し、調圧された燃料ガスを燃焼部であるバーナーに供給する構成を採っている。
【０００３】
かつて、この種のカセットコンロでは、ガスボンベから供給された燃料ガスのバーナーに対する供給、遮断、火力調節や点火を、操作用のツマミを備えた供給バルブの操作軸に委ね、ガスボンベの着脱操作は着脱レバーに委ねるなど、カセットコンロを利用する際の操作を、異なる位置に設けられた複数の操作手段で行うよう構成しているものが一般的であった。
【０００４】
しかし、異なる位置に設けられた複数の操作手段より、一箇所に設けられた単一の操作手段に操作を集約する方が操作性は向上する。このため、これまでも、カセットコンロの操作を単一の操作手段に集約して操作性を向上させる試みがなされており、特開平８−２５４３２１号公報では、バーナーに対する燃料ガスの供給、遮断、火力調節や点火の操作を担っていた供給バルブの操作軸に、ガスボンベ着脱装置の離脱操作も集約する提案がなされている。
【０００５】
この従来例に係るカセットコンロが備えるガスボンベ着脱装置は、ガスボンベを保持した状態で、ガバナの燃料ガス挿入口にガスボンベのノズルを装着する位置と離脱させる位置の間を動作する摺動板と、摺動板の動作を制御する係止板で構成されている。
【０００６】
摺動板は後端部にガスボンベのリングフランジを保持する手段を備えると共に、前端部近傍位置に係止口を設けており、ガバナをカセットコンロの底板に固定する取付板が備えるガイドに摺動自在に嵌装され、ガスボンベ装着位置では係止口が取付板からガバナ正面側へ臨出するのに対し、離脱位置では前端部の板部が臨出するに止まるよう規制され、バネによって離脱位置方向へ付勢されている。
【０００７】
摺動板の動作を制御する係止板は、その下端部に摺動板の係止口に嵌合する係止部を有し、供給バルブの操作軸に上下動自在に挿通配置され、上昇位置では係止部がガバナ正面側へ臨出する前記摺動板より高く位置し、下降位置では低く位置するよう規制されていると共に、バネによって下方へ付勢されている。
【０００８】
また、操作軸の係止板挿通位置の外周には凸部が設けられていると共に、係止板の操作軸挿通穴には操作軸の反時計回り回動領域で当該凸部の自由な回動を許す切り欠きが設けられており、操作軸を時計回り方向へ回動させて凸部が切り欠き端部を押すと、バネの付勢力に抗して係止板が上昇するよう構成されている。
【０００９】
したがって、この着脱機構によれば、摺動板にガスボンベを保持させて装着位置に前進させると、摺動板の係止口が取付板から臨出し、下方に付勢された係止板の係止部が係止口に嵌合するので、摺動板の後退が阻止されるが、操作軸を時計回り方向へ回動させれば、係止板が上昇して係止部が係止口から外れ、摺動板はガスボンベ離脱位置へと後退する。
【００１０】
従来例は、上記のガスボンベ着脱機構を有するから、この種カセットコンロ一般と同様に、操作軸の反時計回り回動領域でバーナーに対する燃料ガスの供給、遮断、火力調節と点火の操作を行うと共に、操作軸を時計回り方向へ回動することでガスボンベを離脱させることができる。
【００１１】
【特許文献１】特開平８−２５４３２１号公報
【発明の開示】
【発明が解決しようとする課題】
【００１２】
上記従来例が、供給バルブの操作軸に操作を集約して操作性を向上させたことは明らかである。しかしながら、操作軸に操作を集約すれば、これまでの一般のカセットコンロより操作軸による操作種類（操作情報）が増すから、操作軸の回動によってどの種類の操作を行っているか、操作状況の認識と確認に一段の注意が必要となる。
【００１３】
特に、上記従来例では、この種カセットコンロの操作軸では利用されることのなかった時計回り回動領域で、ガスボンベの離脱操作を行うから、操作者の誤操作や混乱を防ぐために、操作者に操作状況を明確に認識・確認させる効果的な告知手段を加えることが望ましい。
【００１４】
しかしながら、上記従来例においては、これまでのカセットコンロ一般と同様に、操作軸による操作状況の認識・確認を、操作軸のツマミに対する操作者の目視だけに委ね、いかなる効果的な告知手段も設けていない。
【００１５】
本発明は、カセットコンロ利用時の操作軸による操作状況を、操作者の目視だけに依存するのではなく、他の効果的な方法でも操作者に明確に認識・確認させる告知手段を備えたカセットコンロを提供することを目的とする。
【課題を解決するための手段】
【００１６】
請求項１の発明は、ガバナの供給弁からガバナ正面外方に突出位置する操作軸に操作部品を挿通配設すると共に押さえ板で操作部品の配設を支持してなるカセットコンロにおいて、前記押さえ板と当接する位置に前記操作軸と一体回動する回動板を挿通配置し、前記回動板が前記押さえ板と当接する面に金属ボールを収容した凹溝または突起を設けると共に、前記押さえ板が前記回動板と当接する面にあって前記操作軸の回動によって前記金属ボールまたは前記突起の描く軌跡と対向する位置に前記金属ボールまたは前記突起が嵌合する穴もしくは凹溝を設けてなることを特徴とする、カセットコンロである。
【００１７】
請求項２の発明は、ガバナの供給弁からガバナ正面外方に突出位置する操作軸に操作部品を挿通配設すると共に押さえ板で操作部品の配設を支持してなるカセットコンロにおいて、前記押さえ板と当接する位置に前記操作軸と一体回動する回動板を挿通配置し、当該回動板の外周部に凸片を設けると共に、前記押さえ板が前記回動板と当接する面にあって前記操作軸の回動によって前記凸片の描く軌跡と対向する位置に前記凸片の端部と当接して係止する突起を設けてなることを特徴とする、カセットコンロである。
【００１８】
請求項３の発明は、前記操作軸に、前記回動板を前記押さえ板の方向へ付勢するバネを挿通配置したこと、を特徴とする、請求項１または２に記載のカセットコンロである。
【００１９】
請求項４の発明は、前記押さえ板の前記突起が当接して係止する前記回動板の前記凸片の端部に、前記押さえ板と当接する面から裏面側へ傾斜する傾斜面が形成されていることを特徴とする、請求項２または３に記載のカセットコンロである。
【発明の効果】
【００２０】
本発明によれば、供給弁の操作軸に挿通配設された操作部品を支持する押さえ板に当接する位置に回動板を挿通配置して押さえ板に当接させるという簡易な構成によって、カセットコンロ利用時の操作軸による操作状況を、目視以外の方法でも操作者に明確に認識・確認させる、効果的な告知手段を備えたカセットコンロを提供することができる。
【発明を実施するための最良の形態】
【００２１】
以下、本発明を実施するための最良の形態について、図面を参照して説明する。
【００２２】
図１は本発明に係る告知手段を備えたカセットコンロの主要部を示す平面図であり、図２は本発明に係るカセットコンロが備える告知手段を示す分解斜視図である。
【００２３】
本発明に係るカセットコンロは、ガバナ３の供給バルブ（図示せず）からガバナ３の正面外方へ突出位置する操作軸３１による操作状況を操作者に認識・確認させる告知手段を除いて、従来例と同様の構成を有している。
【００２４】
すなわち、ガスボンベの着脱機構は、ガバナ３の脚部を固定しカセットコンロ本体１の底板１ａに止め付ける取付板５０のガイドに摺動自在に嵌装され、ガスボンベ離脱位置方向へ付勢された摺動板５１と、ガバナ３正面の操作軸３１に上下動自在に挿通され下方に付勢された係止板５２とからなり、ガスボンベ装着位置では摺動板５１の係止口５１ｂに係止板５２の下端部が嵌合して離脱位置への後退を阻止すると共に、操作軸３１を時計回り方向へ回動することで係止板５２が押し上げられ、摺動板５１が離脱位置へ後退するよう構成されている。
【００２５】
また、ガバナ３の正面側には、操作軸３１を挿通させてガバナ３正面を塞ぐ基板３２と、操作軸３１の突出穴３６ａを有し両側端に断面Ｌ字状の脚部を設けた押さえ板３６とをガバナ３にネジ止めることで、操作軸３１に挿通された操作部品やこれら操作部品に付設された部品の配設位置を支持する収容空積が設けられている。
【００２６】
当該収容空積には、従来例同様に係止板５２とこれを付勢するＬ字バネ５４、圧電点火器５５とそのスイッチを押すアーム５３などが配設されているが、本発明では、図２に示す通り、操作軸３１に挿通される部品の最終位置に回動板３４を挿通して押さえ板３６の裏面に当接位置させると共に、当該回動板３４の裏面位置にバネ３３を挿通することによって該回動板３４を押さえ板３６の方向へ付勢している。
【００２７】
図示の操作軸３１は、回動板３４の挿通位置からツマミ３８を付設する開放端部まで、外周の一部を切り削った断面略半円形状に形成され、回動板３４も同形の操作軸挿通穴３４ａを有して操作軸と一体に回動する。
【００２８】
また、図２並びに図３に示す通り、回動板３４の表面には凹溝３４ｂが設けられており、押さえ板３６の裏面に当接した状態では、該凹溝３４ｂに金属ボール３５が収容される。
【００２９】
さらに、回動板３４の外周はその一部が切り欠かれ、その切り欠き端部が凸片３４ｃを形成している。
【００３０】
他方、図４に示す通り、回動板３４が当接する押さえ板３６は、操作軸３１の突出穴３６ａを有するほか、回動版と当接する裏面に金属ボール３５と略同径の２つの穴３６ｂ、並びに適形の突起３６ｃとが設けられている。
【００３１】
穴３６ｂを設ける位置は、回動板３４表面の凹溝３４ｂに収容された金属ボール３５が操作軸３１の回動によって描く軌跡と対向する押さえ板３６の裏面位置から、また突起３６ｃを設ける位置は、回動板３４外周部に設けられた凸片３４ｃが操作軸３１の回動によって描く軌跡と対向する押さえ板３６の裏面位置から、それぞれ選ばれなければならない。
【００３２】
本発明においては、回動板３４と押さえ板３６が以上の関係に構成されているから、バネ３３によって付勢され押さえ板３６の裏面に押接された回動板３４が操作軸３１の回動によって回転し、回動板３４表面の凹溝３４ｂに収容された金属ボール３５が押さえ板３６裏面の穴３６ｂに嵌合することによって、ツマミ３８を回して操作軸３１を回動させている操作者に、明らかなクリック音とロック感を体感させることになる。
【００３３】
同様に、押さえ板３６の裏面に押接された回動板３４が操作軸３１の回動によって回転し、回動板３４外周に設けられた凸片３４ｃが押さえ板３６裏面の突起３６ｃに行き当たると操作者に明らかな抵抗を体感させ、さらに凸片３４ｃが突起３６ｃに乗り上げるとより大きな抵抗を体感させる上に、凸片３４ｃが乗り上げた突起３６ｃから外れ落ちて押さえ板３６の裏面に当たる際にも明らかな体感を与えることができる。
【００３４】
本実施形態において、押さえ板３６裏面に設けられた２つの穴３６ｂは、回動板３４表面の凹溝３４ｂに収容された金属ボール３５が操作軸３１の回動によって描く軌跡と対向する位置の内、金属ボール３５が供給バルブの閉鎖時と中間火力調節時に静止する二つの位置に、それぞれ照応させている。
【００３５】
また、押さえ板３６裏面の突起３６ｃは、回動板３４外周部に設けられた凸片３４ｃが操作軸３１の回動によって描く軌跡と対向する位置の内、供給バルブの閉鎖時に突起３６ｃが凸片３４ｃの端部に当接し、操作軸３１を時計回り方向へ回動させようとすると、突起３６ｃが凸片３４ｃ係止して抵抗を与える位置に設けられている。
【００３６】
したがって、本実施形態において、カセットコンロを利用する操作者が、ツマミ３８を消火位置から反時計回り方向の点火位置まで回して燃焼を開始した後、操作軸３１を火力調節の標準位置である中間火力位置に回動させた時（図５−ｂ。押さえ板３６と回動版の動作関係を裏面側から模式的に示したもので、金属ボール３５が嵌合する押さえ板３６の穴３６ｂの位置は想像線で現した。）、並びに燃焼利用後に操作軸３１を供給弁が閉鎖する消火位置に回動させた時（図５−ａ。金属ボール３５が嵌合する穴３６ｂの位置は想像線で現した。）、回動板３４の凹溝３４に収容された金属ボール３５が押さえ板３６の裏面に設けられた穴３６ｂに嵌合し、明らかなクリック音とロック感を発して操作者に体感認識させ、操作状況を操作者に明確に告知する。
【００３７】
また、操作者がツマミ３８を消火位置から時計回り方向へ回してガスボンベを離脱させようとすると、回動板３４の凸片３４ｃ端部に押さえ板３６裏面の突起３６ｃが当接してこれを係止し、操作者に明らかな抵抗を体感させる。
【００３８】
さらに、この抵抗に抗して、ツマミ３８を時計回り方向へ回してガスボンベの離脱を実行すると、回動板３４の凸片３４ｃを押さえ板３６裏面の突起３６ｃに乗り上げさせることになるから、操作者により大きな抵抗を体感させ、操作状況を告知することになる。（図５−ｃ。凸片３４ｃが乗り上げた突起３６ｃの位置は想像線で現した。）
【００３９】
加えて、ガスボンベの離脱後、操作軸３１が消火位置に復帰する際にも、押さえ板３６裏面の突起３６ｃに乗り上げた回動板３４の凸片３４ｃが、突起３６ｃから外れて押さえ板３６の裏面上に落ち当たるから、明らかな音と感触を操作者に体感させる。（図５−ａ）
【００４０】
したがって、この場合においても、消火位置の時計回り方向へツマミ３８を回してガスボンベを離脱させるという、この種カセットコンロでは行われたことがなく馴染みのない操作状況を、操作抵抗・音・感触を体感させる方法で操作者に明確に告知する。
【００４１】
なお、本実施形態では、押さえ板３６が基板３２を通してガバナ３正面にネジ止めされ、操作軸３１に挿通された操作部品の収容空積を設けている。しかし、基板３２の形状や大きさの如何、さらに有無まで、操作部品の形状や大きさによって決定される。したがって、操作軸３１に挿通された操作部品の配設を支持する押さえ板３６が存在すれば、基板３２の如何に特段の制約はない。
【００４２】
また、本実施形態では、押さえ板３６と基板３２が構成する収容空積の最終位置に回動板３４を挿通配置し、回動板３４の表面と押さえ板３６の裏面を当接させた。しかし、押さえ板３６と基板３２の表裏を問わず、両者を当接させることで本発明は成立する。したがって、構造の複雑化や部品点数・生産コストの増大を問わないのであれば、例えば、回動板３４を押さえ板３６から突出する操作軸３１に挿通配置し、回動板３４の裏面と押さえ板３６の表面を当接させる構成も否定されない。
【００４３】
併せて、本実施形態では、回動板３４表面で金属ボール３５を収容する凹溝３６ｂと外周部の凸片３４ｃの位置、並びに、押さえ板３６裏面に設ける穴３６ｃと突起３６ｃの位置を、操作軸３１の回動による供給弁の閉鎖時と中間火力調節時に合わせてそれぞれ設定しているが、これは任意な選択の一例に過ぎず異なる操作時（操作状況）に合わせて設定することを妨げない。
【００４４】
さらに、本実施形態では、回動板３４の表面に設けた凹溝３４ｂに金属ボール３５を収容し、該金属ボール３５を押さえ板３６の裏面に設けた穴３６ｂに嵌合させて、クリック音やロック感を生じさせているが、凹溝３４ｂと金属ボール３５に代えて、回動板３４の表面に適形の突起（好ましくは、断面半球形の突起）を設けることも妨げない。
【００４５】
また、本実施形態では、回動板３４の外周を切り欠くことで凸片３４ｃを得ているが、凸片３４ｃの形成方法にはいかなる制約もない。
【００４６】
加えて、本実施形態では、回動板３４がバネ３３によって押さえ板３６裏面方向へ付勢されているから、回動板３４表面の凹溝３４ｂに収容された金属ボール３５の脱落がなく、明確なクリック音やロック感が確保される反面、押さえ板３６に設けられた突起３６ｃの形状や大きさによっては、凸片３４ｃの回動に対する抵抗が過剰になり、カセットボンベの離脱操作に支障感を与えたり、さらには多くが樹脂製であるツマミ３８に変形や破損を来す虞も完全には否定できない。
【００４７】
しかし、このような虞は、突起３６ｃに当接する凸片３４ｃの端部に、当接面から裏面側へ傾斜する傾斜面を与え、断面略楔形に形成することで容易に回避できる。
【００４８】
このように、凸片３４ｃの端部を傾斜させると、ツマミ３８を時計回り方向へ回してガスボンベを離脱させる際に体感される抵抗が若干低下するが、操作者に操作状況を告知するための体感抵抗は、なお十分に確保される。
【図面の簡単な説明】
【００４９】
【図１】本発明に係るカセットコンロの主要部を示す平面図である。
【図２】本発明に係るカセットコンロが備える告知手段を示す分解斜視図である。
【図３】本発明に係るカセットコンロが備える告知手段を構成する回動板の正面図。
【図４】本発明に係るカセットコンロが備える告知手段を構成する抑え板の背面図。
【図５】本発明に係るカセットコンロが備える告知手段を構成する抑え板と回動板の動作を模式的に説明する背面図。
【符号の説明】
【００５０】
１  カセットコンロ本体
２  バーナー
３  ガバナ
４  ガスボンベ
３１  操作軸
３２  基板
３３  バネ
３４  回動板
３４ａ  操作軸挿通穴
３４ｂ  凹溝
３４ｃ  凸片
３５  金属ボール
３６  押さえ板
３６ａ  操作軸突出穴
３６ｂ  穴
３６ｃ  突起
３８  ツマミ
５０  取付板
５１  摺動板
５２  係止板
【図１】
2008145050.tif 000003
【図２】
2008145050.tif 000004
【図３】
2008145050.tif 000005
【図４】
2008145050.tif 000006
【図５】
2008145050.tif 000007